(57)【特許請求の範囲】
【請求項１】
映像源から投射された映像光を反射して映像を両面に表示する反射型のスクリーンであって、
映像光が直接入射する第１の面と、これに対向する第２の面とを有し、前記第１の面及び前記第２の面が微細な凹凸形状を有する単位光学形状が、背面側の面に複数配列された第１光学形状層と、
入射した光の一部を反射し、その他を透過する半透過型の反射層であり、前記第１の面に形成された第１反射層部と、前記第２の面に形成された第２反射層部とを備える反射層と、
光透過性を有し、前記反射層の前記第１光学形状層とは反対側に前記単位光学形状の間の谷部を充填するように積層された第２光学形状層と、
を備え、
前記反射層の前記単位光学形状との界面となる反射面は、前記凹凸形状に対応した凹凸形状を有し、
前記第１の面は、スクリーン面に平行な面に対して角度θ１をなし、
前記第２の面は、スクリーン面に平行な面に対して角度θ１よりも大きい角度θ２をなし、
前記第２の面が、スクリーン面に直交する方向となす角度φは、０＜φ＜２×（θ１）を満たすこと、
を特徴とするスクリーン。
【請求項２】
請求項１に記載のスクリーンにおいて、
前記第２反射層部は、前記第１反射層部よりも反射率が高いこと、
を特徴とするスクリーン。
【請求項３】
請求項１又は請求項２に記載のスクリーンにおいて、
前記角度φは、角度θ１に等しい、もしくは、略等しいこと、
を特徴とするスクリーン。
【請求項４】
請求項１から請求項３までのいずれか１項に記載のスクリーンにおいて、
前記第１反射層部を透過して前記第２反射層部に入射する光が前記第１反射層部を透過する領域は、前記第１反射層部の他の領域よりも透過率が高いこと、
を特徴とするスクリーン。
【請求項５】
請求項１から請求項４までのいずれか１項に記載のスクリーンにおいて、
前記第２光学形状層の屈折率は、前記第１光学形状層の屈折率に等しい、もしくは、略等しいこと、
を特徴とするスクリーン。
【請求項６】
請求項１から請求項５までのいずれか１項に記載のスクリーンにおいて、
前記第１反射層部の単位面積当たりに前記凹凸形状が形成されていない鏡面領域が占める割合が５％以下であること、
を特徴とするスクリーン。
【請求項７】
請求項１から請求項６までのいずれか１項に記載のスクリーンにおいて、
拡散粒子を含有する拡散層を備えていないこと、
を特徴とするスクリーン。
【請求項８】
請求項１から請求項７までのいずれか１項に記載のスクリーンにおいて、
前記第１光学形状層の前記単位光学形状が形成された面とは反対側の面に、該第１光学形状層を形成する基材となる基材層を備えること、
を特徴とするスクリーン。
【請求項９】
請求項１から請求項８までのいずれか１項に記載のスクリーンと、
前記スクリーンに映像光を投射する映像源と、
を備える映像表示装置。
【発明の詳細な説明】
【技術分野】
【０００１】
本発明は、映像光を反射して表示する反射型のスクリーンと、これを備える映像表示装置に関するものである。
【背景技術】
【０００２】
従来、映像源から投射された映像光を反射して表示する反射スクリーンとして、様々なものが開発されている（例えば、特許文献１参照）。なかでも、半透過型の反射スクリーンは、ガラス板等のように透光性の高い部材に貼り付けて使用する場合等において、映像が良好に視認できる反射スクリーンとして使用でき、かつ、映像光を投射しない不使用時等にはスクリーンの向こう側の景色が透けて見えるという利点を有し、意匠性の高さ等から需要が高まっている。
【先行技術文献】
【特許文献】
【０００３】
【特許文献１】特開平９−１１４００３号公報
【発明の概要】
【発明が解決しようとする課題】
【０００４】
しかし、このような半透過型の反射スクリーンは、拡散粒子等を含有する拡散層を備えていると、スクリーンの向こう側の景色が白っぽくぼやけて観察される場合があり、意匠性の低下を招くため、透明性の向上が課題となっていた。
また、半透過型スクリーンにおいて、透明性を有しながら、映像源側、背面側の両面で映像を表示したいという要求もあった。
さらに、各種スクリーンにおいて、薄型化や、コントラストの高い良好な映像を表示することは、常々求められることである。
【０００５】
上述の特許文献１には、透過型、反射型の両方に使用することができるスクリーンが提案されており、背面側からの光を透過することが可能である。しかし、この特許文献１には、透明性の向上に関する対策に関してはなんら開示されていない。また、特許文献１では、一方向から投射された映像光によって、スクリーンの両面で映像を表示することに関しても開示されていない。
【０００６】
本発明の課題は、透明性が高く、両面で映像を表示可能なスクリーン、及び、これを備える映像表示装置を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
請求項１の発明は、映像源から投射された映像光を反射して映像を両面に表示する反射型のスクリーンであって、映像光が直接入射する第１の面（１２１ａ，２２１ａ）と、これに対向する第２の面（１２１ｂ，２２１ｂ）とを有し、前記第１の面及び前記第２の面が微細な凹凸形状を有する単位光学形状が、背面側の面に複数配列された第１光学形状層（１２，２２）と、入射した光の一部を反射し、その他を透過する半透過型の反射層であり、前記第１の面に形成された第１反射層部と、前記第２の面に形成された第２反射層部とを備える反射層（１３）と、光透過性を有し、前記反射層の前記第１光学形状層とは反対側に前記単位光学形状の間の谷部を充填するように積層された第２光学形状層（１４）と、を備え、前記反射層の前記単位光学形状との界面となる反射面は、前記凹凸形状に対応した凹凸形状を有し、前記第１の面は、スクリーン面に平行な面に対して角度θ１をなし、前記第２の面は、スクリーン面に平行な面に対して角度θ１よりも大きい角度θ２をなし、前記第２の面が、スクリーン面に直交する方向となす角度φは、０＜φ＜２×（θ１）を満たすこと、を特徴とするスクリーン（１０，２０）である。
請求項２の発明は、請求項１に記載のスクリーンにおいて、前記第２反射層部（１３２）は、前記第１反射層部（１３１）よりも反射率が高いこと、を特徴とするスクリーン（１０，２０）である。
請求項３の発明は、請求項１又は請求項２に記載のスクリーンにおいて、前記角度φは、角度θ１に等しい、もしくは、略等しいこと、を特徴とするスクリーン（１０，２０）である。
請求項４の発明は、請求項１から請求項３までのいずれか１項に記載のスクリーンにおいて、前記第１反射層部（１３１）を透過して前記第２反射層部（１３２）に入射する光が前記第１反射層部を透過する領域（Ｂ）は、前記第１反射層部の他の領域よりも透過率が高いこと、を特徴とするスクリーン（１０，２０）である。
請求項５の発明は、請求項１から請求項４までのいずれか１項に記載のスクリーンにおいて、前記第２光学形状層（１４）の屈折率は、前記第１光学形状層（１２）の屈折率に等しい、もしくは、略等しいこと、を特徴とするスクリーン（１０，２０）である。
請求項６の発明は、請求項１から請求項５までのいずれか１項に記載のスクリーンにおいて、前記第１反射層部（１３１）の単位面積当たりに前記凹凸形状が形成されていない鏡面領域が占める割合が５％以下であること、を特徴とするスクリーン（１０，２０）である。
請求項７の発明は、請求項１から請求項６までのいずれか１項に記載のスクリーンにおいて、拡散粒子を含有する拡散層を備えていないこと、を特徴とするスクリーン（１０，２０）である。
請求項８の発明は、請求項１から請求項７までのいずれか１項に記載のスクリーンにおいて、前記第１光学形状層（１２，２２）の前記単位光学形状（１２１，２２１）が形成された面とは反対側の面に、該第１光学形状層を形成する基材となる基材層（１１）を備えること、を特徴とするスクリーン（１０，２０）である。
請求項９の発明は、請求項１から請求項８までのいずれか１項に記載のスクリーン（１０，２０）と、前記スクリーンに映像光を投射する映像源（ＬＳ）と、を備える映像表示装置（１）である。
【発明の効果】
【０００８】
本発明によれば、透明性が高く、両面で映像を表示可能なスクリーン、及び、これを備える映像表示装置を提供することができる。
【図面の簡単な説明】
【０００９】
【図１】第１実施形態の映像表示装置１を示す図である。
【図２】第１実施形態のスクリーン１０の層構成を示す図である。
【図３】第１実施形態の第１光学形状層１２を背面側（−Ｚ側）から見た図である。
【図４】第１実施形態の単位光学形状１２１を説明する図である。
【図５】第１実施形態のスクリーン１０での映像光及び外光の様子を示す図である。
【図６】第２実施形態のスクリーン２０を説明する図である。
【図７】変形形態の映像表示装置１Ａを示す図である。
【図８】１／２角αと映像光の入射角θａ及び第１斜面１２１ａの角度θ１の関係について説明する図である。
【発明を実施するための形態】
【００１０】
以下、図面等を参照して、本発明の実施形態について説明する。
なお、図１を含め、以下に示す各図は、模式的に示した図であり、各部の大きさ、形状は、理解を容易にするために、適宜誇張している。
本明細書中において、形状や幾何学的条件を特定する用語、例えば、平行や直交等の用語については、厳密に意味するところに加え、同様の光学的機能を奏し、平行や直交と見なせる程度の誤差を有する状態（略等しい状態）も含むものとする。
本明細書中において、記載する各部材の寸法等の数値及び材料名等は、実施形態としての一例であり、これに限定されるものではなく、適宜選択して使用してよい。
本明細書中において、板、シート等の言葉を使用している。一般的に、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中において、スクリーン面とは、スクリーン全体として見たときにおける、スクリーンの平面方向となる面を示すものであり、スクリーンの画面（表示面）に平行であるとする。
【００１１】
（第１実施形態）
図１は、第１実施形態の映像表示装置１を示す図である。図１（ａ）では、映像表示装置１の斜視図であり、図１（ｂ）は、映像表示装置１を側面から見た図である。
映像表示装置１は、スクリーン１０、映像源ＬＳ等を有している。本実施形態のスクリーン１０は、映像源ＬＳから投影された映像光Ｌを反射して、その映像源側の画面及び背面側の画面に映像を表示可能である。このスクリーン１０の詳細に関しては、後述する。
本実施形態では、一例として、映像表示装置１は、店舗のショーウィンドウに適用され、スクリーン１０がショーウィンドウのガラスに固定される例を挙げて説明する。
【００１２】
ここで、理解を容易にするために、図１を含め以下に示す各図において、適宜、ＸＹＺ直交座標系を設けて示している。この座標系では、スクリーン１０の画面の水平方向（左右方向）をＸ方向、鉛直方向（上下方向）をＹ方向とし、スクリーン１０の厚み方向をＺ方向とする。スクリーン１０の画面は、ＸＹ面に平行であり、スクリーン１０の厚み方向（Ｚ方向）は、スクリーン１０の画面に直交する。
また、スクリーン１０の映像源側の正面方向に位置する観察者Ｏ１から見て水平方向の右側に向かう方向を＋Ｘ方向、鉛直方向の上側に向かう方向を＋Ｙ方向、厚み方向において背面側（裏面側）から映像源側に向かう方向を＋Ｚ方向とする。
さらに、以下の説明中において、画面上下方向、画面左右方向、厚み方向とは、特に断りが無い場合、このスクリーン１０の使用状態における画面上下方向（鉛直方向）、画面左右方向（水平方向）、厚み方向（奥行き方向）であり、それぞれ、Ｙ方向、Ｘ方向、Ｚ方向に平行であるとする。
【００１３】
映像源ＬＳは、映像光Ｌをスクリーン１０へ投影する映像投射装置であり、例えば、短焦点型のプロジェクタである。
この映像源ＬＳは、映像表示装置１の使用状態において、スクリーン１０の画面（表示領域）を映像源側（＋Ｚ側）の正面方向（スクリーン面の法線方向）から見た場合に、スクリーン１０の画面左右方向の中央であって、スクリーン１０の画面よりも鉛直方向下方側（−Ｙ側）に位置している。
映像源ＬＳは、奥行き方向（Ｚ方向）において、スクリーン１０の表面からの距離が、従来の汎用プロジェクタに比べて大幅に近い位置から斜めに映像光Ｌを投影できる。したがって、従来の汎用プロジェクタに比べて、映像源ＬＳは、スクリーン１０までの投射距離が短く、投射された映像光がスクリーン１０に入射する入射角度が大きい。
【００１４】
スクリーン１０は、映像源ＬＳが投射した映像光Ｌの一部を映像源側（＋Ｚ側）に位置する観察者Ｏ１側へ向けて反射して映像を表示し、かつ、他の映像光の一部を背面側（裏面側）に位置する観察者Ｏ２（図５参照）へ向けて出射して映像を表示するスクリーンであり、かつ、映像光を投射しない不使用時等において、スクリーン１０の向こう側の景色を観察できる半透過型の反射スクリーンである。
スクリーン１０の画面（表示領域）は、使用状態において、映像源側（＋Ｚ側）の観察者Ｏ１側から見て長辺方向が画面左右方向となる略矩形状である。
スクリーン１０は、その画面サイズが対角８０〜１００インチ程度の大きな画面を有しており、画面の横縦比が１６：９である。なお、これに限らず、例えば、４０インチ程度やそれ以下の大きさとしてもよく、使用目的や使用環境等に応じて、その大きさや形状は適宜選択できるものとする。
【００１５】
一般的に、スクリーン１０は、樹脂製の薄い層の積層体等であり、それ単独では平面性を維持するだけの十分な剛性を有していない場合が多い。そのため、本実施形態のスクリーン１０は、図１に示すように、その背面側に光透過性を有する接合層５１を介して支持板５０一体に接合（あるいは部分固定）され、画面の平面性を維持している。
支持板５０は、光透過性を有し、剛性が高い平板状の部材であり、アクリル樹脂やＰＣ樹脂等の樹脂製、ガラス製等の板状の部材を用いることができる。
本実施形態の支持板５０は、店舗等のショーウィンドウの窓ガラスである。なお、これに限らず、スクリーン１０は、不図示の枠部材等によってその四辺等が支持され、その平面性を維持する形態としてもよい。
【００１６】
図２は、第１実施形態のスクリーン１０の層構成を示す図である。図２では、スクリーン１０の映像源側（＋Ｚ側）の画面中央（画面の幾何学的中心）となる点Ａ（図１参照）を通り、画面上下方向（Ｙ方向）に平行であって、スクリーン面に垂直（厚み方向であるＺ方向に平行）な断面の一部を拡大して示している。なお、図２では、理解を容易にするために、支持板５０等は省略して示している。
図３は、第１実施形態の第１光学形状層１２を背面側（−Ｚ側）から見た図である。理解を容易にするために、反射層１３や第２光学形状層１４、保護層１５等を省略して示している。
図４は、第１実施形態の単位光学形状１２１を説明する図である。図４は、図２に示したスクリーン１０の断面をさらに拡大して示し、理解を容易にするために、第１光学形状層１２と反射層１３と第２光学形状層１４のみを示している。
スクリーン１０は、図２に示すように、その映像源側（＋Ｚ側）から順に、基材層１１、第１光学形状層１２、反射層１３、第２光学形状層１４、保護層１５を備えている。
【００１７】
基材層１１は、光透過性を有するシート状の部材である。基材層１１は、その裏面側（背面側，−Ｚ側）に、第１光学形状層１２が一体に形成されている。この基材層１１は、第１光学形状層１２を形成する基材（ベース）となる層である。
基材層１１は、例えば、高い光透過性を有するＰＥＴ（ポリエチレンテレフタレート）等のポリエステル樹脂、アクリル樹脂、スチレン樹脂、アクリルスチレン樹脂、ＰＣ（ポリカーボネート）樹脂、脂環式ポリオレフィン樹脂、ＴＡＣ（トリアセチルセルロース）樹脂等により形成される。
また、基材層１１は、画面サイズ等に応じてその厚さを変更可能であり、本実施形態での厚さが約１００μｍである。
【００１８】
第１光学形状層１２は、基材層１１の背面側（−Ｚ側）に形成された光透過性を有する層である。第１光学形状層１２の背面側（−Ｚ側）の面には、単位光学形状（単位レンズ）１２１が複数配列されて設けられている。単位光学形状１２１は、図３に示すように、スクリーン１０の画面（表示領域）外に位置する点Ｃを中心として、同心円状に複数配列されている。即ち、第１光学形状層１２は、背面側にサーキュラーフレネルレンズ形状を有している。
第１光学形状層１２のサーキュラーフレネルレンズ形状は、その点Ｃを中心（フレネルセンター）とする、いわゆるオフセット構造のサーキュラーフレネルレンズ形状である。そのため、図３に示すように、第１光学形状層１２をスクリーン面の法線方向背面側から見たときに、真円の一部形状（円弧状）の単位光学形状（単位レンズ）１２１が複数配列されているように観察される。
【００１９】
単位光学形状１２１は、図２及び図４に示すように、スクリーン面に直交する方向（Ｚ方向）に平行であって、単位光学形状１２１の配列方向に平行な断面における断面形状が、略三角形形状である。
この単位光学形状１２１は、背面側に凸であり、映像光が入射する第１斜面（レンズ面）１２１ａと、これに対向する第２斜面（非レンズ面）１２１ｂとを有している。
１つの単位光学形状１２１において、第２斜面１２１ｂは、頂点ｔを挟んで第１斜面１２１ａの下側に位置している。
第１斜面１２１ａがスクリーン面に平行な面となす角度は、θ１である。第２斜面１２１ｂがスクリーン面に平行な面となす角度は、θ２である。単位光学形状１２１の頂角はθ３である。角度θ１，θ２は、θ２＞θ１という関係を満たしている。
この単位光学形状１２１の第１斜面１２１ａ及び第２斜面１２１ｂは、微細な凹凸形状を有している。
【００２０】
単位光学形状１２１の配列ピッチは、Ｐであり、単位光学形状１２１の高さ（厚み方向における頂点ｔから単位光学形状１２１間の谷底となる点ｖまでの寸法）は、ｈである。
理解を容易にするために、図２，図４では、単位光学形状１２１の配列ピッチＰ、角度θ１，θ２は、単位光学形状１２１の配列方向において一定である例を示している。しかし、本実施形態の単位光学形状１２１は、実際には、配列ピッチＰは一定であるが、角度θ１が単位光学形状２２１の配列方向においてフレネルセンターとなる点Ｃから離れるにつれて次第に大きくなっている。
角度θ１，θ２、配列ピッチＰ等は、映像源ＬＳからの映像光の投射角度（スクリーン１０への映像光の入射角度）や、映像源ＬＳの画素（ピクセル）の大きさ、スクリーン１０の画面サイズ、各層の屈折率等に応じて、適宜設定してよい。例えば、単位光学形状１２１の配列方向に沿って、配列ピッチＰが変化し、角度θ１，θ２が変化する形態としてもよい。
【００２１】
第１光学形状層１２は、光透過性の高いウレタンアクリレート系、ポリエステルアクリレート系、エポキシアクリレート系、ポリエーテルアクリレート系、ポリチオール系、ブタジエンアクリレート系等の紫外線硬化型樹脂により形成されている。
なお、本実施形態では、第１光学形状層１２を構成する樹脂として、紫外線硬化型樹脂を例に挙げて説明するが、これに限らず、例えば、電子線硬化型樹脂等の他の電離放射線硬化型樹脂により形成してもよい。
【００２２】
図８は、１／２角αと映像光の入射角θａ及び第１斜面１２１ａの角度θ１の関係について説明する図である。図８は、図２に示したスクリーン１０の断面をさらに拡大して示し、理解を容易にするために、スクリーン１０内の構成は簡略化し、基材層１１及び保護層１５は省略して示している。また、角度α、θａに関して、スクリーン面に直交する方向に対して画面上下方向の上側をプラス、下側をマイナスとして示している。
ここで、第１斜面１２１ａの第１反射層部１３１に入射して拡散反射し、スクリーン１０から出射した光（反射光）のピーク輝度の角度Ｋに対して、画面上下方向（図８における単位光学形状１２１の配列方向）において、輝度が１／２となる角度をＫ１，Ｋ２とし、ピーク輝度の角度Ｋから輝度が１／２となる角度Ｋ１，Ｋ２までの角度変化量を＋α１（ただし、Ｋ＋α１＝Ｋ１），−α２（Ｋ−α２＝Ｋ２）とするとき、ピーク輝度から輝度が１／２になるまでの角度変化量の絶対値の平均値をα（以下、これを１／２角αという）とする。
【００２３】
第１斜面１２１ａの角度θ１は、映像光Ｌをスクリーン１０の映像源側の正面方向に位置する観察者Ｏ１に最も効率よく映像を反射するように、即ち、反射光のピーク輝度となる角度Ｋが０°となるように、各層の屈折率等に基づいて設計されている。また、−αから＋αまでの範囲は、スクリーン正面に位置する観察者が映像を良好に観察することを想定している範囲である。
ここで、画面上下方向（図８において単位光学形状１２１の配列方向）におけるある点において、映像光Ｌがスクリーン１０の下方から入射角θａで入射し、屈折率ｎの第１光学形状層１２を進み、スクリーン面に対して角度θ１をなす第１斜面１２１ａに入射して反射層１３で反射し、スクリーン１０からスクリーン面に直交する方向（出射角度０°）へ出射するとき、角度θ１は、以下の式で表される。
θ１＝１／２×ａｒｃｓｉｎ（（ｓｉｎ（θａ））／ｎ）  ・・・（式１）
【００２４】
スクリーン１０に映像源ＬＳから映像光Ｌを投射してスクリーン１０で反射させ、反射型スクリーンとして映像を表示する際に、映像光Ｌを投射する映像源ＬＳの光源が映り込み、映像のコントラストが低下するという問題が生じる場合がある。この映像源の映り込みは、スクリーンの表面で反射した映像光が観察者Ｏ１に届くことが主な原因である。
このような映像源の映り込みを防止するためには、スクリーン１０の表面で観察者Ｏ１が主に映像を良好に観察する範囲となる角度範囲（−α〜＋α）よりも外側に、スクリーン１０の表面で反射した映像光が進むことが好ましい。入射角θａで入射した映像光Ｌの一部Ｌｒがスクリーン１０の表面で反射する場合、その反射角はθａである。したがって、映像源の映り込みを防止するために、α＜θａであることが好ましい。
【００２５】
よって、前述の（式１）から、画面上下方向（単位光学形状１２１の配列方向）において、１／２角αは、第１斜面１２１ａの角度θ１に対して、少なくともスクリーン１０の一部の領域（例えば、スクリーン中央）において、以下の式２を満たすことが好ましい。
α＜ａｒｃｓｉｎ（ｎ×ｓｉｎ（２×（θ１）））  ・・・（式２）
また、映像源の映り込みを防止するために、１／２角αは、第１斜面１２１ａの角度θ１に対して、スクリーン１０の全域において、上記式２を満たすことがさらに好ましい。
角度θ１が１／２角αに対して、上記式２を満たす形態とすることにより、スクリーン１０への入射時にスクリーン１０の表面で反射する光が主に向かう方向（＋θａの方向）が、反射層１３（第１反射層部１３１）で反射した映像光がスクリーン１０から出射して主に進む角度範囲（−α〜＋α）よりも外側となる。これにより、映像源側（＋Ｚ側）において、観察者Ｏ１が映像を視認する範囲（角度−α〜＋α）における映像源ＬＳの映り込みを低減し、コントラストの高い良好な映像を表示することができる。
【００２６】
また、この１／２角αは、５°≦α≦４５°を満たすことが好ましい。
α＜５°である場合、観察者Ｏ１に対して良好な映像を表示する視野角が狭くなり過ぎ、映像が見えにくくなるので好ましくない。また、α＜５°である場合、反射光において鏡面反射成分が増え、映像源の映り込み等が生じてしまい、好ましくない。
α＞４５°である場合、観察者Ｏ１に対して良好な映像を表示する視野角は広くなるが映像の明るさが低下したり、映像のぼけが強くなったり、外光のスクリーン表面での反射によって映像のコントラストが低下したりするので好ましくない。
したがって、１／２角αは、上記範囲が好ましい。
【００２７】
反射層１３は、光を反射する機能を有する層であり、単位光学形状１２１上（第１斜面１２１ａ及び第２斜面１２１ｂ上）に形成されている。
反射層１３は、入射した光の一部を反射し、その他を透過する半透過型の反射層、いわゆるハーフミラーである。したがって、反射層１３は、入射した光の一部を反射面の微細凹凸形状により拡散して反射し、反射しない他の光を拡散しないで透過するという機能を有する。
【００２８】
前述のように、第１斜面１２１ａ及び第２斜面１２１ｂは、微細な凹凸形状が形成されており、反射層１３は、この微細な凹凸形状に追従して形成されている。また、この反射層１３の厚みは、この微細な凹凸形状の凹凸よりも十分に薄い。したがって、反射層１３の反射面（反射層１３の第１光学形状層１２側の面）及び第２光学形状層１４側の面は、微細な凹凸形状を有するマット面となっている。
この反射層１３の反射面の表面粗さ（即ち、第１斜面１２１ａの表面粗さ）は、算術平均粗さＲａが約０．１５〜０．３μｍであることが、反射光により映像を良好に表示する観点から好ましい。なお、反射層１３の反射面の表面粗さ（即ち、第１斜面１２１ａの表面粗さ）である算術平均粗さＲａは、所望する光学性能等に応じて適宜選択してよい。
【００２９】
反射層１３の反射率と透過率の割合は、所望する光学性能に合わせて適宜に設定できるが、映像光を良好に反射させるとともに、映像光以外の光（例えば、太陽光等の外界からの光）を良好に透過させる観点から、透過率が３０〜８０％、反射率が５〜６０％の範囲であることが望ましい。
ここで、反射層１３は、第１斜面１２１ａ上に形成された第１反射層部１３１と、第２斜面１２１ｂ上に形成された第２反射層部１３２とを有している。第１反射層部１３１と第２反射層部１３２とは、その反射率が異なり、第２反射層部１３２の反射率は、第１反射層部１３１の反射率よりも大きい。
本実施形態では、第１反射層部１３１は、透過率が約６０％、反射率が約３０％であり、第２反射層部１３２は、透過率が約３０％、反射率が約６０％である。
【００３０】
また、第１斜面１２１ａのうち、粗面ではない領域、即ち、微細な凹凸形状が形成されていない領域であって第１反射層部１３１の反射面が鏡面状あり、入射した映像光が鏡面反射する鏡面領域は、第１反射層部１３１の単位面積当たり５％以下であることが、映像光を十分に拡散し、良好な視野角を得るために必要であり、０％であることが理想的である。
第１反射層部１３１の単位面積当たりにおいて、粗面ではない鏡面領域が５％を超えると、拡散されず反射して映像源側に到達する映像光の成分により輝線が生じたり、視野角が低下したりするため、好ましくない。
【００３１】
反射層１３は、光反射性の高い金属、例えば、アルミニウム、銀、ニッケル等により形成され、その厚さは、数１０Å程度である。第１反射層部１３１と第２反射層部１３２とでは、その厚さが異なり、第２反射層部１３２の方が、第１反射層部１３１よりも厚く形成されている。本実施形態の反射層１３は、アルミニウムを蒸着することにより形成されている。
反射層１３は、これに限らず、例えば、光反射性の高い金属をスパッタリングしたり、金属箔を転写したり、金属薄膜を含有した塗料を塗布したりする等により形成されてもよいし、例えば、誘電体多層膜を蒸着することにより形成されてもよい。このとき、第２反射層部１３２の方が、第１反射層部１３１よりも反射率が高くなるように形成される。
【００３２】
図４に示すように、単位光学形状１２１の第１斜面１２１ａに入射した映像光Ｌａのうち、一部の映像光Ｌｂは、第１反射層部１３１で反射して、映像源側（＋Ｚ側）に位置する観察者Ｏ１側に出射する。このとき、第１反射層部１３１で反射した映像光Ｌｂは、反射面の微細な凹凸形状によって拡散される。
また、第１斜面１２１ａに入射した映像光Ｌａの一部Ｌｃは、反射層１３を透過して、背面側（−Ｚ側）のスクリーン上方へ出射する。
【００３３】
さらに、第１斜面１２１ａのうち、谷底となる点ｖに近い領域Ｂに入射し、第１反射層部１３１を透過した映像光Ｌｄの少なくとも一部は、隣接する単位光学形状１２１の第２斜面１２１ｂに入射し、第２反射層部１３２で反射し、スクリーン１０の背面側（−Ｚ側）の正面方向に位置する観察者Ｏ２（後述の図５参照）が映像を視認可能な方向に出射する。このとき、第２反射層部１３２で反射した映像光Ｌｄは、その反射面の微細な凹凸形状によって拡散される。
【００３４】
領域Ｂに入射して第１反射層部１３１を透過した映像光Ｌｄが、第２斜面１２１ｂに入射して第２反射層部１３２で反射し、背面側に位置する観察者Ｏ２側へ出射するためには、第２斜面１２１ｂは、スクリーン面に直交する方向に対しなす角度φが、０＜φ＜２×（θ１）であることが好ましく、φがθ１に略等しい（等しいとみなせる程度の誤差を有する状態）ことがより好ましく、φがθ１に等しいことがさらに好ましい。
この角度φが０°である場合、第２反射層部１３２で反射した映像光は、裏面下方側へ出射するため、観察者Ｏ２に届かない。また、角度φが２×（θ１）以上である場合、第２反射層部１３２で反射した映像光は、第２斜面１２１ｂに入射せず、裏面上方側へ向かい、観察者Ｏ２に届かない。したがって、角度φは、上記範囲であることが好ましい。
また、角度φが角度θ１に近くなるにつれ、頂角θ３は９０°に近くなり、角度φが角度θ１に等しいとき、頂角θ３は９０°に等しい。この頂角θ３＝９０°のとき、領域Ｂは、点ｖから第１斜面１２１ａに沿って頂点ｔ側へ寸法Ｓ１＝Ｐｓｉｎ（θ１）ｔａｎ（θ１）の領域となる。
【００３５】
第２光学形状層１４は、第１光学形状層１２の背面側（−Ｚ側）に設けられた光透過性を有する層である。第２光学形状層１４は、第１光学形状層１２の背面側（−Ｚ側）の面を平坦にするために設けられており、単位光学形状１２１間の谷部を埋めるように形成されている。したがって、第２光学形状層１４の映像源側（＋Ｚ側）の面は、第１光学形状層１２の単位光学形状１２１の略逆型の形状が複数配列されて形成されている。
このような第２光学形状層１４を設けることにより、反射層１３を保護することができ、スクリーン１０の第１光学形状層１２の背面側の面に保護層１５等を積層しやすくなり、また、支持板５０等への接合も容易となる。
第２光学形状層１４の屈折率は、第１光学形状層２２の屈折率と等しい、又は、略等しい（等しいとみなせる程度に屈折率差が小さい）ことが望ましく、第２光学形状層１４は、前述の第１光学形状層１２と同じ紫外線硬化型樹脂を用いて形成することが好ましい。本実施形態の第２光学形状層１４は、その屈折率が第１光学形状層１２の屈折率に等しい。
【００３６】
保護層１５は、第２光学形状層１４の背面側（−Ｚ側）に形成された光透過性を有する層であり、このスクリーン１０の背面側（−Ｚ側）を保護する機能を有している。
保護層１５は、光透過性の高い樹脂製のシート状の部材が用いられる。保護層１５は、例えば、前述の基材層１１と同様の材料を用いて形成されたシート状の部材を用いてもよい。
上述のように、本実施形態のスクリーン１０は、拡散作用を有する粒子等の拡散材を含有した光拡散層を備えておらず、拡散作用を有するのは、反射層１３の反射面の微細凹凸形状のみである。
【００３７】
スクリーン１０は、例えば、以下のような製造法により形成される。
基材層１１を用意し、その一方の面に、単位光学形状１２１を賦形する成形型に紫外線硬化型樹脂を充填した状態で積層し、紫外線を照射して樹脂を硬化させるＵＶ成形法により第１光学形状層１２を形成する。このとき、単位光学形状１２１を賦形する成形型の第１斜面１２１ａ及び第２斜面１２１ｂを賦形する面には、微細な凹凸形状が形成されている。この微細な凹凸形状は、成形型の第１斜面１２１ａ及び第２斜面１２１ｂを賦形する面に、条件の異なるめっきを２回以上繰り返したり、エッチング処理を行ったりすること等によって形成できる。
第１光学形状層１２を、基材層１１の一方の面に形成した後、第１斜面１２１ａ及び第２斜面１２１ｂに、反射層１３を蒸着等により形成する。このとき、第２斜面１２１ｂに形成される第２反射層部１３２の反射率が、第１斜面１２１ａに形成される第１反射層部１３１の反射率よりも大きくなるように、蒸着の方向を変える等して、第１反射層部１３１と第２反射層部１３２との厚さを調整しながら反射層１３を形成する。
【００３８】
その後、反射層１３の上から、単位光学形状１２１間の谷部を充填して平面状となるように、紫外線硬化型樹脂を塗布し、保護層１５を積層して紫外線硬化型樹脂を硬化させ、第２光学形状層１４及び保護層１５を一体に形成する。その後、所定の大きさに裁断する等により、スクリーン１０が完成する。
基材層１１及び保護層１５は、枚葉状としてもよいし、ウェブ状としてもよい。基材層１１及び保護層１５をウェブ状とした場合には、裁断前の状態のスクリーン１０を連続して製造することができ、スクリーン１０の生産効率を向上させ、生産コストを低減することができる。
【００３９】
また、例えば、第１斜面１２１ａ及び第２斜面１２１ｂに粗面を形成する方法として、第１斜面１２１ａ，第２斜面１２１ｂ上に拡散粒子等を塗布してその上から反射層１３を形成したり、第１光学形状層１２を形成後に第１斜面１２１ａ，第２斜面１２１ｂにブラスト加工を行ったりする方法等が知られている。しかし、このような製法で反射層１３の反射面を粗面とした場合には、個々のスクリーン１０での拡散特性や品質等のばらつきが大きく、安定した製造が行えない。これに対して、上述のように、単位光学形状１２１の第１斜面１２１ａ，第２斜面１２１ｂの微細凹凸形状を成形型によって賦形することにより、多数の第１光学形状層１２及びスクリーン１０を製造する場合にも、品質のばらつきが少なく、安定して製造できるという利点がある。
【００４０】
図５は、第１実施形態のスクリーン１０での映像光及び外光の様子を示す図である。図５では、単位光学形状１２１の配列方向（Ｙ方向）及びスクリーンの厚み方向（Ｚ方向）に平行な断面での断面の一部を拡大して示している。また、図５では、理解を容易にするために、スクリーン１０内の各層の界面における屈折率差はないものとして示している。
スクリーン１０の下方に位置する映像源ＬＳから投射され、スクリーン１０に入射した映像光Ｌ１のうち、一部の映像光Ｌ２は、スクリーン１０の表面で反射して上方へ向かう。したがって、スクリーン１０の映像源側の正面方向に位置する観察者Ｏ１には到達しない。また、一部の映像光Ｌ３は、単位光学形状１２１の第１斜面１２１ａに入射し、反射層１３（第１反射層部１３１）によって拡散反射され、観察者Ｏ１側へ出射する。
【００４１】
第１斜面１２１ａに入射した映像光のうち反射しなかった他の映像光Ｌ４は、反射層１３（第１反射層部１３１）を透過し、スクリーン１０の背面側（−Ｚ側）からスクリーン上方へ出射する。そのため、この映像光Ｌ４は、背面側のスクリーン１０の正面方向に位置する観察者Ｏ２には到達しない。
また、第１斜面１２１ａの谷底となる点ｖ近傍の領域Ｂに入射した映像光Ｌ５は、一部の映像光Ｌ６が第１反射層部１３１で反射して観察者Ｏ１側へ出射する。また、映像光Ｌ５のうち、一部の映像光Ｌ７は、反射層１３（第１反射層部１３１）を透過して隣接する第２斜面１２１ｂの第２反射層部１３２で拡散反射して、背面側のスクリーン正面方向に位置する観察者Ｏ２側へ出射する。この映像光Ｌ７により、背面側の観察者Ｏ２も映像が視認可能となる。
なお、本実施形態では、映像光Ｌ１，Ｌ５がスクリーン１０の下方から投射され、かつ、角度θ２（図２，図４等参照）がスクリーン１０の画面上下方向の各点における映像光の入射角度よりも大きいので、映像光が第２斜面１２１ｂに直接入射することはない。
【００４２】
次に、背面側（−Ｚ側）又は映像源側（＋Ｚ側）からスクリーン１０に入射する映像光以外の太陽光等の外界からの光（以下、外光という）について説明する。
図５に示すように、スクリーン１０に入射する外光Ｇ１，Ｇ５のうち、一部の外光Ｇ２，Ｇ６は、スクリーン１０の表面で反射して、それぞれスクリーン１０の下方へ向かう。また、一部の外光Ｇ３，Ｇ７は、反射層１３で反射して、それぞれ映像源側のスクリーン上方、背面側のスクリーン１０の下方へ出射する。また、一部の外光Ｇ４，Ｇ８は、反射層１３を透過して、それぞれ背面側（−Ｚ側）、映像源側（＋Ｚ側）のスクリーン１０の下方側へ出射する。そのため、外光Ｇ３，Ｇ４，Ｇ７，Ｇ８は、観察者Ｏ１，Ｏ２には到達しないので、外光による映像のコントラスト低下を抑制できる。
【００４３】
また、スクリーン１０は、拡散粒子を含有する拡散材等を含有していないので、このスクリーン１０を透過する外光Ｇ９，Ｇ１０は、拡散されない。したがって、映像源側及び背面側から、観察者Ｏ１，Ｏ２が、スクリーン１０を通してスクリーン１０の向こう側の景色を観察した場合に、スクリーン１０の向こう側の景色がぼやけたり、白くにじんだりすることなく、高い透明性を有して観察することができる。
【００４４】
ここで、従来の拡散粒子を含有する拡散層を備えた半透過型の反射スクリーンでは、拡散粒子によって外光も拡散されるため、スクリーンの向こう側の景色がぼやけたり、白くにじんだりして観察されたり、映像のコントラストが低下したりするという問題がある。また、映像光は、反射層での反射前後の２回拡散されるので、良好な視野角が得られる一方で明るさが低下したり、映像の解像度が低下したりするという問題がある。
しかし、本実施形態のスクリーン１０は、反射層１３の反射面が粗面になっている以外は拡散作用を有しないので、映像光は、反射層１３で反射した場合のみ拡散される。また、本実施形態のスクリーン１０では、反射層１３で反射する光のみが拡散され、透過光は拡散されない。
【００４５】
したがって、本実施形態によれば、スクリーン１０は、良好な視野角及び明るさや解像度を有する映像を映像源側（＋Ｚ側）の観察者Ｏ１に表示でき、かつ、映像光を投射しない状態等において、スクリーン１０の向こう側（−Ｚ側）の景色が白くにじんだり、ぼけたりすることがなく観察者Ｏ１に良好に視認され、高い透明性を実現できる。
また、本実施形態によれば、スクリーン１０は、映像源ＬＳから映像光を投射することにより、背面側（−Ｚ側）に位置する観察者Ｏ２に対しても、左右反転した映像ではあるが良好な映像を表示することができる。これにより、スクリーン１０の背面側にいる観察者Ｏ２に映像の存在を知らせ、映像をより良好に視認できる映像源側へ観察者Ｏ２を誘導することが可能である。また、スクリーン１０は、高い透明性を有しているので、映像光を投射しない状態等において、スクリーン１０の向こう側（＋Ｚ側）の景色が観察者Ｏ２に良好に視認される。
また、本実施形態によれば、スクリーン１０は、透過光を拡散せず、高い透明性を有しているので、スクリーン１０に映像光が投射された状態においても、観察者Ｏ１，Ｏ２が、スクリーン１０の向こう側（背面側、映像源側）の景色を一部視認することが可能である。
また、本実施形態によれば、第１光学形状層１２は、フレネルセンターとなる点Ｃが、表示領域外であって映像源ＬＳ側に位置しており、いわゆるオフセット構造のサーキュラーフレネルレンズ形状を有しているので、短焦点の映像源ＬＳから投射された入射角度の大きい映像光であっても、画面左右方向の映像が暗くなることがなく、明るさの面均一性の高い良好な映像を表示することができる。
【００４６】
（第２実施形態）
図６は、第２実施形態のスクリーン２０を説明する図である。図６（ａ）は、スクリーン２０の第１光学形状層２２を背面側（−Ｚ側）から見た図であり、理解を容易にするために、反射層１３や第２光学形状層１４、保護層１５等を省略して示している。図６（ｂ）は、前述の図２に示す第１実施形態のスクリーン１０の断面に相当する第２実施形態のスクリーン２０の断面の一部を拡大して示している。
第２実施形態に示すスクリーン２０は、第１光学形状層２２の単位光学形状２２１の形状が異なる点以外は、前述の第１実施形態と同様の形態である。したがって、前述した第１実施形態と同様の機能を果たす部分には、同一の符号又は末尾に同一の符号を付して、重複する説明を適宜省略する。
第２実施形態のスクリーン２０は、前述の第１実施形態の映像表示装置１において、スクリーン１０に換えて用いることが可能である。
【００４７】
このスクリーン２０は、基材層１１、第１光学形状層２２、反射層１３、第２光学形状層１４、保護層１５を備えている。
第１光学形状層２２は、その背面側（−Ｚ側）の面に単位光学形状２２１が複数配列されて設けられている。
単位光学形状２２１は、スクリーン１０の画面左右方向（Ｘ方向）に延在し、画面上下方向（Ｙ方向）に沿って複数配列されている。単位光学形状２２１は、スクリーン１０の厚み方向（Ｚ方向）に平行であって単位光学形状１２１の配列方向（Ｙ方向）に平行な断面での断面形状が三角形状であり、いわゆるプリズム形状である。
【００４８】
単位光学形状２２１は、映像光が直接入射する第１斜面２２１ａと、この第１斜面２２１ａに対向する第２斜面２２１ｂとを有している。１つの単位光学形状２２１において、第２斜面２２１ｂは、頂点ｔを挟んで第１斜面２２１ａよりも下側（−Ｙ側）に位置している。
本実施形態では、図６に示すように、角度θ１，θ２、配列ピッチＰ等が一定である例を示している。しかし、これに限らず、これらの角度や寸法は、映像源ＬＳからの映像光の投射角度（スクリーン１０への映像光の入射角度）や、映像源ＬＳの画素（ピクセル）の大きさ、スクリーン１０の画面サイズ、各層の屈折率等に応じて、適宜設定してよい。例えば、単位光学形状１２１の配列方向に沿って、これらの角度や寸法が、次第に又は段階的に変化する形態としてもよい。
【００４９】
単位光学形状２２１において、図６（ｂ）に示すように、第１斜面２２１ａがスクリーン面に平行な面となす角度は、θ１であり、第２斜面２２１ｂがスクリーン面に平行な面となす角度は、θ２である。また、単位光学形状１２１の頂角はθ３である。このとき、角度θ１，θ２は、θ２＞θ１という関係を満たす。
また、第２斜面１２１ｂは、スクリーン面に直交する方向に対して角度φをなしている。この角度φは、０＜φ＜２×（θ１）であることが好ましく、φがθ１に略等しい（等しいとみなせる程度の誤差を有する状態）ことがより好ましく、φがθ１に等しいことがさらに好ましい。また、角度φが角度θ１に等しいとき、頂角θ３は９０°に等しい。
さらに、この角度θ１は、１／２角αに対して、前述の式２を満たす。
【００５０】
本実施形態においても、反射層１３のうち、第２斜面２２１ｂ上に形成された第２反射層部１３２の反射率は、第１斜面２２１ａ上に形成された第１反射層部１３１の反射率よりも大きい。
したがって、第１斜面２２１ａの領域Ｂに入射した映像光の一部は、第１反射層部１３１を透過して、第２斜面２２１ｂの第２反射層部１３２で反射し、背面側（−Ｚ側）の観察者Ｏ２側に向かって出射する。これにより、背面側にいる観察者Ｏ２が映像を視認できる。
【００５１】
よって、本実施形態によれば、前述の第１実施形態と同様に、透明性が高く、かつ、良好な映像を両面に表示できる半透過型のスクリーン及び表示装置を提供することができる。
また、本実施形態において、単位光学形状２２１は、画面左右方向を長手方向とし、画面上下方向に配列されており、第１光学形状層２２及びスクリーン２０の製造が容易であり、大画面のスクリーン２０の製造も容易に行える。
【００５２】
（変形形態）
以上説明した実施形態に限定されることなく、種々の変形や変更が可能であって、それらも本発明の範囲内である。
（１）各実施形態において、第１反射層部１３１の透過率を、第２反射層部１３２よりも大きくしてもよい。
また、各実施形態において、第１反射層部１３１の領域Ｂは、第１斜面１２１ａ，２２１ａの他の領域よりも、反射率が小さくてもよいし、透過率が高くてもよい。
このような形態とすることにより、背面側へ進み映像を表示する光量を増やすことができ、反射型のスクリーンとして映像源側に良好な映像を表示しつつ、背面側にもより明るく良好な映像を表示できる。
【００５３】
（２）各実施形態において、スクリーン１０，２０は、反射層１３を設けない形態とすることもできる。この場合、映像光を観察者Ｏ１側及び観察者Ｏ２側へ効率よく反射させる観点から、第１光学形状層１２の第１斜面１２１ａと第２光学形状層１４との間、第２斜面１２１ｂと第２光学形状層１４との間に、第１光学形状層１２の屈折率とは相違する屈折率の層（例えば、空気層や有機多層膜による層）を一層又は複数層設ける必要がある。
【００５４】
（３）各実施形態において、スクリーン１０，２０の映像源側（＋Ｚ側）の面に、傷つき防止を目的としたハードコート層を設けてもよい。ハードコート層は、例えば、スクリーン１０，２０の映像源側の表面（基材層１１の映像源側の面）に、ハードコート機能を有する紫外線硬化型樹脂（例えば、ウレタンアクリレート等）を塗布して形成する等により、形成される。
また、ハードコート層に限らず、スクリーン１０，２０の使用環境や使用目的等に応じて、例えば、反射防止機能、紫外線吸収機能、防汚機能、帯電防止機能等、適宜必要な機能を有する層を１つ又は複数選択して設けてもよい。さらに、基材層１１の映像源側等にタッチパネル層等を設けてもよい。
なお、このようなハードコート層等は、スクリーン１０，２０を使用する環境等に応じて、スクリーン１０，２０の背面側（−Ｚ側）に設けてもよい。
【００５５】
（４）各実施形態において、映像源ＬＳは、スクリーン１０，２０の画面左右方向の中央であって鉛直方向下側に位置する例を挙げて説明したが、これに限らず、例えば、スクリーン１０，２０の斜め下側等に配置され、スクリーン１０，２０に対して画面左右方向において斜め方向光から映像光を投射する形態としてもよい。
図７は、変形形態の映像表示装置１Ａを示す図である。図７では、第２実施形態に示したスクリーン２０を用いた例を示してる。
図７に示すように、例えば、映像源ＬＳをスクリーン１０の画面左右方向左側（−Ｘ側）の下方に配置する場合、単位光学形状２２１は、その配列方向及び長手方向が、映像源ＬＳの位置に合わせてそれぞれ画面上下方向（Ｙ方向）及び画面左右方向（Ｘ方向）に対して傾斜した形態となっている。このような形態とすることにより、映像源ＬＳの位置等を自由に設定することができる。
なお、第１実施形態に示すスクリーン１０のように第１光学形状層１２がサーキュラーフレネルレンズ形状を有する場合にも、映像源ＬＳの位置に合わせて単位光学形状２２１の配列方向を傾けた形態とすることにより、このような変形形態は適用可能である。
【００５６】
（５）各実施形態において、単位光学形状１２１，２２１は、第１斜面１２１ａ，２２１ａ及び第２斜面１２１ｂ，２２１ｂが平面により形成される例を示したが、これに限らず、例えば、曲面と平面とが組み合わされた形態としてもよいし、折れ面状としてもよい。
また、各実施形態において、単位光学形状１２１，２２１は、３つ以上の複数の面によって形成される多角柱形状としてもよい。
【００５７】
（６）各実施形態において、スクリーン１０，２０は、第１光学形状層１２，２２及び第２光学形状層１４が十分な厚みや剛性等を有している場合には、基材層１１及び保護層１５を備えない形態としてもよいし、どちらか一方を備えない形態としてもよい。
また、各実施形態において、スクリーン１０，２０は、基材層１１及び保護層１５の少なくとも一方を、ガラス板等の光透過性を有する板状の部材としてもよい。このとき、粘着剤層等を介して第１光学形状層１２等がガラス板等に接合される形態としてもよい。
【００５８】
（７）各実施形態において、映像源ＬＳは、例えば、Ｐ波の偏光成分を有する映像光を投射する映像源としてもよい。
映像源ＬＳは、映像光が入射角θａでスクリーン１０，２０へ投射されるように位置及び角度が設定されている。このとき、入射角θａは、スクリーン１０，２０へ投射された映像光（Ｐ波）の反射率がゼロとなる入射角（ブリュースター角）をθｂ（°）とした場合、（θｂ−１０）°以上８５°以下の範囲に設定される。例えば、スクリーン１０，２０へ投射された映像光の反射率がゼロとなる入射角θｂが６０°である場合、映像光の入射角θａは、５０〜８５°の範囲に設定される。
このように、Ｐ波の偏光成分を有する映像光を投射する映像源ＬＳを用いることにより、スクリーン１０，２０への入射角θａが大きい場合にも、スクリーン１０，２０の表面における鏡面反射を抑制することができ、映像源ＬＳの設置位置等、投射系の設計の自由度を上げることができる。また、このような映像源ＬＳを用いることにより、スクリーン１０，２０に入射する際にスクリーン表面での映像光の反射を低減でき、映像の明るさ、鮮明さの向上を図ることができる。
なお、角度θｂ（ブリュースター角）は、映像光が投射されるスクリーン１０，２０表面の材質により異なる。
また、このような形態の場合、基材層１１及び保護層１５としては、ＴＡＣ製のシート状の部材が好適である。
【００５９】
（８）各実施形態において、映像表示装置１は、店舗等のショーウィンドウに配置される例を示したが、これに限らず、例えば、室内用のパーテーションや、展示会等における映像表示等にも適用できる。
【００６０】
なお、本実施形態及び変形形態は、適宜組み合わせて用いることもできるが、詳細な説明は省略する。また、本発明は以上説明した各実施形態によって限定されることはない。
【符号の説明】
【００６１】
１    映像表示装置
１０，２０    スクリーン
１１    基材層
１２，２２    第１光学形状層
１２１，２２１    単位光学形状
１２１ａ，２２１ａ    第１斜面
１２１ｂ，２２１ｂ    第２斜面
１３    反射層
１３１    第１反射層部
１３２    第２反射層部
１４    第２光学形状層
１５    保護層
ＬＳ    映像源
【図１】
0006593201.tif 000002
【図２】
0006593201.tif 000003
【図３】
0006593201.tif 000004
【図４】
0006593201.tif 000005
【図５】
0006593201.tif 000006
【図６】
0006593201.tif 000007
【図７】
0006593201.tif 000008
【図８】
0006593201.tif 000009